(57)【要約】【課題】打ち合わせる方向を考慮することなく使用することができるとともに、音を良好に伝達させることができるメガホンを提供する。【解決手段】３つの拡声筒２１、２２、２３を、連結筒３１によって連結させるとともに、拡声筒２１、拡声筒２２および拡声筒２３の筒本体部に切り欠きを設け、メガホン１０の先端部において一つの筒状とする。これにより、メガホン１０を、どの方向から打ち合わせても、所望の音を発生させることができるとともに、先端部から良好な音を伝達させることができる。【選択図】図１
0003176777.tif 000002
【実用新案登録請求の範囲】
【請求項１】
一端部から他端部に向けて太くなるよう形成された中空の複数の拡声筒と、
前記複数の拡声筒を、全体が略円錐形状となり、各拡声筒間に隙間があくように、各前記一端部を把持する連結筒と、
を備え、
前記拡声筒は、前記他端部の内側が切り欠かれていることを特徴とするメガホン。
【請求項２】
前記拡声筒は、断面が中央部に凹部を有する略扇形形状であることを特徴とする請求項１に記載のメガホン。
【請求項３】
前記拡声筒よりも短く、一端部から他端部に向けて太くなるよう形成された中空の中央拡声筒を備え、
前記連結筒は、前記中央拡声筒が前記円錐形状の中心軸の位置に配置されるように、前記複数の拡声筒の一端部を把持することを特徴とする請求項２に記載のメガホン。
【考案の詳細な説明】
【技術分野】
【０００１】
本考案は、メガホンに関し、特に、スポーツの応援等において使用するメガホンに関する。
【背景技術】
【０００２】
従来、野球やサッカーなどの応援において使用するメガホンは、円錐状の筒形のものが知られている。このような一般のメガホンは、拡声器としての利用と、メガホンを手の平に打ちつけて拍子木の代用にする利用と、がある。
【０００３】
このようなメガホンとして、例えば、一つのメガホンを二つの筒体に分離し、分離した筒体同士を拍子木風に叩き合わせることにより、簡単に音を出すようにしたメガホンが提案されている（特許文献１参照）。
【先行技術文献】
【特許文献】
【０００４】
【特許文献１】特開平１０−２６８８６９号公報
【考案の概要】
【考案が解決しようとする課題】
【０００５】
しかしながら、上述した従来のメガホンにおいては、二つの筒体を打ち合わせる方向を考慮しなければ、うまく音を発生させることができないという問題があった。すなわち、二つの筒体の開閉方向と直交する方向にメガホン本体を打ち合わせても、大きな音を発生させることができないという問題があった。
また、一つのメガホンを複数の筒体に分離すると、音が分散され、メガホンの先端方向に音が良好に伝達されないという問題があった。
【０００６】
本考案は、このような従来の課題を解決するためになされたもので、打ち合わせる方向を考慮することなく使用することができるメガホンを提供することを課題とする。
【課題を解決するための手段】
【０００７】
上記課題を解決するため、（１）本考案は、一端部から他端部に向けて太くなるよう形成された中空の複数の拡声筒と、前記複数の拡声筒を、全体が略円錐形状となり、各拡声筒間に隙間があくように、各前記一端部を把持する連結筒と、を備え、
前記拡声筒は、前記他端部の内側が切り欠かれていることを特徴とする。
【０００８】
また、（２）本考案の前記拡声筒は、断面が中央部に凹部を有する略扇形形状であることを特徴とする。
【０００９】
さらに、（３）本考案は、前記拡声筒よりも短く、一端部から他端部に向けて太くなるよう形成された中空の中央拡声筒を備え、
前記連結筒は、前記中央拡声筒が前記円錐形状の中心軸の位置に配置されるように、前記複数の拡声筒の一端部を把持することを特徴とする。
【考案の効果】
【００１０】
本考案によれば、打ち合わせる方向を考慮することなく使用することができるメガホンを提供することができる。
【図面の簡単な説明】
【００１１】
【図１】第１の実施の形態におけるメガホンの概略構成を示す斜視図である。
【図２】第１の実施の形態におけるメガホンの概略構成を示す側面図である。
【図３】拡声筒の概略構成を示す斜視図である。
【図４】連結筒の概略構成を示す断面図である。
【図５】第２の実施の形態におけるメガホンの概略構成を示す斜視図である。
【図６】第２の実施の形態におけるメガホンの概略構成を示す側面図である。
【図７】中央拡声筒および拡声筒の概略構成を示す斜視図である。
【考案を実施するための形態】
【００１２】
以下、本考案の実施の形態におけるメガホンについて、図面を参照して説明する。
【００１３】
［第１の実施の形態］
図１は、本実施の形態におけるメガホンの概略構成を示す斜視図であり、図２は、側面図である。また、図３は、１つの拡声筒の概略構成を示す斜視図である。
【００１４】
図１および図２に示すように、メガホン１０は、３つの拡声筒２１、２２、２３と、連結筒３１と、を備えている。
【００１５】
拡声筒２１は、中空で、一端部（以下、基端部という）２１ａから他端部（以下、先端部という）２１ｂに向けて太くなるよう形成されている。また、拡声筒２１は、基端部２１ａ側に配置された被連結部２１ｃと、先端部２１ｂ側に配置された筒本体部２１ｄと、により構成されている。筒本体部２１ｄは、被連結部２１ｃに対して、外側に所定の角度開いた状態で一体形成されている。
【００１６】
被連結部２１ｃは、断面が約１２０度の扇形形状である。また、被連結部２１ｃは、外側に溝部２１ｆを有している。さらに、被連結部２１ｃは、拡声筒２２および拡声筒２３の被連結部とともに、連結筒３１に把持されるようになっている。
【００１７】
筒本体部２１ｄは、断面が中央部に凹部を有する略扇形形状となっている。また、筒本体部２１ｄは、先端部２１ｂの内側に、基端部２１ａに向けた切り欠き２１ｅが設けられている。この切り欠き２１ｅは、台形で斜辺が先端部２１ｂに向かって２回広がるように形成されている。
【００１８】
また、拡声筒２２および拡声筒２３は、拡声筒２１と同様の構成である。さらに、本実施の形態においては、各拡声筒２１、２２、２３は、異なる色（例えば、赤、青、黄色）の着色が施された合成樹脂により形成されている。
なお、本実施の形態においては、拡声筒２１、拡声筒２２および拡声筒２３の被連結部の断面における扇形の中心角を、それぞれ約１２０度としたが、これに限らず、３つを合わせて約３６０とすれば良い。
【００１９】
図４は、本実施の形態における連結筒の概略構成を示す断面図である。
図４に示すように、連結筒３１は、断面が略円形の筒形状であり、内部に環状突起部３１ａが設けられている。また、連結筒３１は、拡声筒２１、拡声筒２２および拡声筒２３の被連結部を一体的に把持するようになっている。さらに、連結筒３１は、拡声筒２１、拡声筒２２および拡声筒２３が、全体として略円錐形状となり、各拡声筒２１、２２、２３間に隙間があくように、把持するものである。
【００２０】
具体的には、連結筒３１に対して、拡声筒２１、拡声筒２２および拡声筒２３の被連結部を、一緒に挿入する。拡声筒２１、拡声筒２２および拡声筒２３の被連結部をまとめることにより、断面が略円形となり、連結筒３１に挿入できる。拡声筒２１、拡声筒２２および拡声筒２３の被連結部を、連結筒３１の所定に位置まで挿入すると、各被連結部の溝部に、連結筒３１の環状突起部３１ａが嵌まり込み、拡声筒２１、拡声筒２２および拡声筒２３と、連結筒３１が枢着される。
【００２１】
ここで、上述のように、拡声筒２１、拡声筒２２および拡声筒２３の筒本体部は、各被連結部に対して外側に所定の角度開いた状態で一体形成されている。また、各筒本体部は、断面が中央部に凹部を有する略扇形形状となっている。したがって、拡声筒２１、拡声筒２２および拡声筒２３は、全体として略円錐形状となる。また、拡声筒２１、拡声筒２２および拡声筒２３の真ん中、すなわち、メガホン１０の中心部には、空洞部が形成されることとなる。さらに、拡声筒２１、拡声筒２２および拡声筒２３の間には、それぞれ隙間があくように構成される。
【００２２】
以上のように、本実施の形態におけるメガホン１０は、３つの拡声筒２１、２２、２３が、連結筒３１によって連結されているので、どの方向から打ち合わせても、所望の音を発生させることができ、打ち合わせる方向を考慮することなく、メガホン１０を使用することができる。
【００２３】
また、メガホン１０は、拡声筒２１、拡声筒２２および拡声筒２３の筒本体部に切り欠きが設けられているので、先端部においては、一つの筒のようになる。したがって、メガホン１０において、連結筒３１のある根元側から先端に向けては、各拡声筒２１、２２、２３内を音が伝達されるが、先端部において合成されて、メガホン１０から放音されることとなる。すなわち、発生した音が分散されずに、メガホン１０の先端方向に良好に音を伝達させることができる。
【００２４】
［第２の実施の形態］
次に、本考案の第２の実施の形態におけるメガホンについて、図面を参照して説明する。
【００２５】
図５は、本実施の形態におけるメガホンの概略構成を示す斜視図であり、図６は、側面図である。
図５および図６に示すように、本実施の形態におけるメガホン１１は、中央拡声筒２４、３つの拡声筒２５、２６、２７と、連結筒３２と、を備えている。
【００２６】
図７は、本実施の形態における中央拡声筒２４および拡声筒２５の概略構成を示す斜視図である。
図７に示すように、中央拡声筒２４は、中空で、被連結部２４ｃと、筒本体部２４ｄと、により構成されている。また、中央拡声筒２４は、３つの拡声筒２５、２６、２７のそれぞれよりも、短くなっている。また、被連結部２４ｃおよび筒本体部２４ｄは、一体形成されている。
筒本体部２４ｄは、被連結部２４ｃとの連結部から先端部２４ｂに向けて太くなるように形成されている。
【００２７】
拡声筒２５は、上記実施の形態における拡声筒２１とほぼ同様の構成であり、異なる点について説明する。
拡声筒２５は、被連結部２５ｃと、筒本体部２５ｄと、により構成されている。
【００２８】
被連結部２５ｃは、断面が約１２０度の扇形の中心部が扇形に切り抜かれた形状をしている。また、被連結部２５ｃは、拡声筒２６および拡声筒２７の被連結部とともに、連結筒３２に把持されるとともに、中央拡声筒２４の被連結部２４ｃを把持するようになっている。
【００２９】
筒本体部２５ｄは、断面の内周が円弧状にくり抜かれた形状となっている。また、筒本体部２５ｄは、先端部２５ｂに設けられた切り欠き２５ｅが、中央拡声筒２４の長さと同じ位置まで切り欠かれている。
【００３０】
また、拡声筒２６および拡声筒２７は、拡声筒２５と同様の構成である。
また、連結筒３２は、上記実施の形態における連結筒３１と同様の構成である。
【００３１】
したがって、連結筒３２に対して、中央拡声筒２４の被連結部２４ｃを中心にして、拡声筒２５、拡声筒２６および拡声筒２７の被連結部を、一緒に挿入する。拡声筒２５、拡声筒２６および拡声筒２７の被連結部を、連結筒３２の所定に位置まで挿入すると、各被連結部の溝部に、連結筒３２の環状突起部３２ａが嵌まり込み、拡声筒２５、拡声筒２６および拡声筒２７と、連結筒３２が枢着される。
また、中央拡声筒２４の被連結部２４ｃと、拡声筒２５、拡声筒２６および拡声筒２７の被連結部と、にそれぞれ凹凸等を設けて、中央拡声筒２４の抜けを強固に防止するようにしても良い。
【００３２】
以上のように、本実施の形態におけるメガホン１１は、３つの拡声筒２５、２６、２７の中央に中央拡声筒２４が連結筒３２によって連結されているので、どの方向から打ち合わせても、所望の音を発生させることができ、打ち合わせる方向を考慮することなく、メガホン１１を使用することができる。
【００３３】
また、メガホン１１は、中央拡声筒２４の長さと同じ位置まで、拡声筒２５、拡声筒２６および拡声筒２７の筒本体部に切り欠きが設けられているので、先端部においては、一つの筒のようになる。したがって、発生した音が分散されずに、メガホン１１の先端方向に良好に音を伝達させることができる。
【００３４】
以上説明したように、本考案に係るメガホンは、打ち合わせる方向を考慮することなく使用することができるという効果を有し、特に、スポーツの応援等において使用するメガホン等として有用である。
【符号の説明】
【００３５】
１０、１１  メガホン
２１、２２、２３  拡声筒
２１ａ  基端部
２１ｂ  先端部
２１ｃ  被連結部
２１ｄ  筒本体部
２１ｆ  溝部
２４  中央拡声筒
２４ｂ  先端部
２４ｃ  被連結部
２４ｄ  筒本体部
２５、２６、２７  拡声筒
２５ｂ  先端部
２５ｃ  被連結部
２５ｄ  筒本体部
３１  連結筒
３１ａ  環状突起部
３２  連結筒
３２ａ  環状突起部
【図１】
0003176777.tif 000003
【図２】
0003176777.tif 000004
【図３】
0003176777.tif 000005
【図４】
0003176777.tif 000006
【図５】
0003176777.tif 000007
【図６】
0003176777.tif 000008
【図７】
0003176777.tif 000009